(57)【要約】【課題】バッテリーを取り外す際の操作性の向上を図る上で有利な充電装置を提供する。【解決手段】押圧用操作部材６０をバッテリー収容室１２の奥に押し込むと、スライド部材７２が押圧用操作部材６０に連動して後方に移動し、バッテリー２のロックが解除される。一方、スライド部材７２が押圧用操作部材６０に連動して後方に移動し始めると同時に解放レバー６４は揺動する。そして、ロック爪７４と前記バッテリー側係止部との係止が外れたのち、解放レバー６４Ａはバッテリー２の端面に当接し、バッテリー２を開口１６方向に移動させ、押圧用操作部材６０を押圧操作する力によりバッテリー側端子４を充電装置側端子１８から強制的に外す。バッテリー側端子４が充電装置側端子１８から外れると、突出用スプリング６６の付勢力によってバッテリー２が開口１６方向に押し出される。【選択図】図１３
2007288969.tif 000002
【特許請求の範囲】
【請求項１】
バッテリーを充電する充電装置であって、
前記充電装置は、
前記バッテリーを収容するバッテリー収容室と、
前記バッテリー収容室の奥行き方向の一端に形成され、前記バッテリーが前記バッテリー収容室に対して装脱される開口と、
前記バッテリー収容室に設けられ、前記バッテリー収容室に収容される前記バッテリーのバッテリー側端子に係脱可能な充電装置側端子と、
前記バッテリーが前記バッテリー収容室に収容され前記バッテリー側端子と前記充電装置側端子とが結合した状態で前記バッテリーの前記開口方向への移動を阻止すると共に前記バッテリー側端子と前記充電装置側端子との結合を解除して前記バッテリーの奥行き方向の他端を前記開口から突出させる装脱機構とを備え、
前記装脱機構は、
前記開口に設けられた押圧用操作部材と、
前記バッテリー側端子と前記充電装置側端子とが結合した状態で前記バッテリーに係止して前記バッテリーの前記開口方向への移動を阻止し、かつ、前記押圧用操作部材の押圧操作により前記バッテリーとの係止を解除するロック機構と、
前記押圧用操作部材の押圧操作に連動して移動し前記バッテリーに係合して前記バッテリーを前記開口方向に移動させ前記バッテリー側端子を前記充電装置側端子から外す解放部材と、
前記バッテリーに弾接し前記バッテリー側端子が前記充電装置側端子から外れた状態で前記バッテリーを前記開口方向に移動させ前記開口から突出させる突出用スプリングとを備える、
ことを特徴とするバッテリーの充電装置。
【請求項２】
前記ロック機構は、
前記バッテリー収容室の奥行き方向に沿って延在し前記押圧用操作部材の押圧操作により前記奥行き方向にスライドするスライド部材と、
前記バッテリー収容室を構成する壁部に前記スライド部材のスライド方向と交差する方向に移動可能に支持され、前記バッテリーに設けられたバッテリー側係止部に係止可能で前記バッテリー側係止部に係止する方向に付勢されたロック爪と、
前記スライド部材に設けられ前記押圧用操作部材の押圧操作による前記スライド部材の移動時に前記ロック爪と係合して前記ロック爪を前記バッテリー側係止部から外す方向に移動させるカム部と、
を含んで構成されていることを特徴とする請求項１記載のバッテリーの充電装置。
【請求項３】
前記解放部材は、前記バッテリー収容室を構成する壁部に揺動可能に支持された解放レバーで構成され、
前記解放レバーは、前記スライド部材に連結されて前記押圧用操作部材の押圧操作による前記スライド部材の移動時に揺動し、前記ロック爪が前記バッテリー側係止部から外れたのち前記バッテリーを前記開口方向に移動させ前記バッテリー側端子を前記充電装置側端子から外すように構成されている、
ことを特徴とする請求項２記載のバッテリーの充電装置。
【請求項４】
前記バッテリー収容室の奥行き方向の他端に端子用ケースが設けられ、
前記端子用ケースは、前記開口方向に開放状に設けられ、
前記充電装置側端子は前記端子用ケース内で前記バッテリー収容室の奥行き方向に延在して複数設けられ、
前記端子用ケースに、前記複数の充電装置側端子を覆う閉塞位置と、この閉塞位置から前記バッテリー収容室の奥行き方向に沿った方向で前記開口から離れる方向に位置し前記複数の充電装置側端子を露出させる開放位置との間で移動可能なカバーが設けられ、
前記カバーを前記閉塞位置に付勢するカバー用スプリングが設けられ、
前記突出用スプリングは、前記カバー用スプリングで構成されている、
ことを特徴とする請求項１記載のバッテリーの充電装置。
【請求項５】
前記カバーが前記閉塞位置に位置した状態で前記バッテリー収容室の奥行き方向において前記カバーが前記複数の充電装置側端子に臨む箇所に、前記カバーの前記閉塞位置から前記開放位置への移動時に前記複数の充電装置側端子が通過する孔がそれぞれ形成されている、
ことを特徴とする請求項４記載のバッテリーの充電装置。
【請求項６】
互いに平行する上板および底板と、互いに平行する左右の側板と、それら上板、底板、左右の側板の後端を接続する背面板とを有するハウジングが設けられ、
前記バッテリー収容室は、左右の側板の間でかつ上板および底板の間に、その奥行き方向を水平方向に向けかつ水平方向に並べられて複数設けられ、
前記装脱機構は、前記各バッテリー収容室に対応して複数設けられ、
前記各バッテリー収容室は、前記上板の下方に位置して各バッテリー収容室の上方を仕切る上壁と、前記底板の上方に位置して各バッテリー収容室の下方を仕切る底壁と、前記上壁と底壁とにわたって設けられ隣り合う前記バッテリー収容室の側方を仕切る側壁と、前記背面板の前方に位置して各バッテリー収容室の奥部を仕切る奥部壁とにより仕切られ、
前記各開口は、前記上壁、前記底壁、前記側壁の前端で仕切られ、
前記充電装置側端子は前記底壁の後端または前記奥部壁の下端に設けられている、
ことを特徴とする請求項１記載のバッテリーの充電装置。
【請求項７】
前記押圧用操作部材は、前記開口の下方で前記底板と前記底壁との間の空間に配置されていることを特徴とする請求項６記載のバッテリーの充電装置。
【請求項８】
互いに平行する上板および底板と、互いに平行する左右の側板と、それら上板、底板、左右の側板の後端を接続する背面板とを有するハウジングが設けられ、
前記バッテリー収容室は、左右の側板の間でかつ上板および底板の間に、その奥行き方向を水平方向に向けかつ水平方向に並べられて複数設けられ、
前記装脱機構は、前記各バッテリー収容室に対応して複数設けられ、
前記各バッテリー収容室は、前記上板の下方に位置して各バッテリー収容室の上方を仕切る上壁と、前記底板の上方に位置して各バッテリー収容室の下方を仕切る底壁と、前記上壁と底壁とにわたって設けられ隣り合う前記バッテリー収容室の側方を仕切る側壁と、前記背面板の前方に位置して各バッテリー収容室の奥部を仕切る奥部壁とにより仕切られ、
前記各開口は、前記上壁、前記底壁、前記側壁の前端で仕切られ、
前記充電装置側端子は前記底壁の後端または前記奥部壁の下端に設けられ、
前記ロック機構は、
前記底壁に配置されて前記バッテリー収容室の奥行き方向に沿って延在し前記押圧用操作部材の押圧操作により前記奥行き方向にスライドするスライド部材と、
前記スライド部材のスライド方向と交差する方向に移動可能に前記底壁で支持され、前記バッテリーに設けられたバッテリー側係止部に係止可能で前記バッテリー側係止部に係止する方向に付勢されたロック爪と、
前記スライド部材に設けられ前記押圧用操作部材の押圧操作による前記スライド部材の移動時に前記ロック爪と係合して前記ロック爪を前記バッテリー側係止部から外す方向に移動させるカム部と、
を含んで構成されていることを特徴とする請求項１記載のバッテリーの充電装置。
【請求項９】
前記解放部材は、前記底壁に揺動可能に支持された解放レバーで構成され、
前記解放レバーは、前記スライド部材に連結されて前記押圧用操作部材の押圧操作による前記スライド部材の移動時に揺動し、前記ロック爪が前記バッテリー側係止部から外れたのち前記バッテリーに係合して前記バッテリーを前記開口方向に移動させ前記バッテリー側端子を前記充電装置側端子から外すように構成されている、
ことを特徴とする請求項８記載のバッテリーの充電装置。
【請求項１０】
前記解放レバーと前記スライド部材との連結は、前記解放レバーに設けられた長溝に、前記スライド部材に設けられたピンが係合することでなされている、
ことを特徴とする請求項９記載のバッテリーの充電装置。
【請求項１１】
前記バッテリー側端子は前記バッテリーの奥行き方向の一端に設けられ、前記充電側端子は前記バッテリ収容室の奥行き方向の他端に設けられ、前記バッテリーが前記バッテリー収容室に収容され前記バッテリー側端子と前記充電装置側端子とが結合した状態で前記バッテリーの奥行き方向の他端は前記開口の近傍に位置し、前記突出用スプリングにより前記バッテリーの奥行き方向の他端を前記開口から突出させる、
ことを特徴とする請求項１記載のバッテリーの充電装置。
【請求項１２】
前記解放部材は、前記バッテリーを前記開口方向に移動させる際に、前記バッテリの奥行き方向の一端に係合することを特徴とする請求項１記載のバッテリーの充電装置。
【請求項１３】
前記突出用スプリングは、前記バッテリの奥行き方向の一端に弾接することを特徴とする請求項１記載のバッテリーの充電装置。
【請求項１４】
前記バッテリー収容室は、放送機器に装脱される大容量の放送機器用のバッテリーを収容することを特徴とする請求項１記載のバッテリーの充電装置。
【発明の詳細な説明】
【技術分野】
【０００１】
本発明はバッテリーの充電装置に関する。
【背景技術】
【０００２】
放送局で使用される放送機器として、例えば、ビデオカメラ、ビデオテープレコーダー（ＶＴＲ）、オーディオ用トランスミッターなどが挙げられる。
このような放送機器として、屋外や出張先などの電源コンセントがない環境で使用できるようにバッテリーによって駆動されるものがある。
このような放送機器の多くは民生機器に比べて消費電力が大きく６０Ｗ乃至９０Ｗ程度の電力を有するバッテリーが必要とされ、そのため、バッテリーは大容量であり大型であり、例えば、高さが６ｃｍ、幅が１０ｃｍ、奥行き（長さ）が１７ｃｍ程度である。
バッテリーを充電する充電装置は、机の上や棚の上に載置されるケースと、ケースの上面に上方に開放状に設けられバッテリーが上方から装着されるバッテリー装着部と、バッテリー装着部に設けられた充電装置側端子と、ケース内部に組み込まれ充電装置側端子に充電電流を供給する充電制御回路と、コンセントに接続されることで充電制御回路に電源を供給する電源ケーブルなどを備えている（特許文献１参照）。
【特許文献１】特許第２５９４１３９号
【発明の開示】
【発明が解決しようとする課題】
【０００３】
ところで、バッテリー駆動の放送機器を使用するにあたっては、１つのバッテリーによる駆動時間が限られていることから、多くの場合、充電されたバッテリーを必要な個数用意しておき、複数のバッテリーを順次交換するようにしている。
しかしながら、屋外や出張先などにおいて、ホテルの客室や中継車といったスペースの狭い場所で多数のバッテリーを充電する場合、従来の充電装置は、バッテリーをケースの上方からバッテリー装着部に装着する構造であることから、多数の充電装置を机の上や床の上に平面的に並べて配置しなくてはならない。
そのため、充電装置のケースや電源ケーブルが広いスペースを占有してしまうだけではなく、電源ケーブルをコンセントに接続する際の引き回しの都合上、各充電装置を整列して配置することが困難で、各充電装置の向きや位置がばらばらとなることから、バッテリーの数が増えるほど、バッテリーを充電装置に装脱する作業が繁雑で非効率となる不利があった。
そこで、本出願人は、狭いスペース内において多数のバッテリーを充電する上で有利な充電装置を提案している。
この充電装置は、奥行きの方向を水平方向に延在させたバッテリー収容室と、前記バッテリー収容室の奥行きの方向の一端に形成され、前記バッテリーが前記バッテリー収容室に対して装脱される開口と、前記バッテリー収容室に設けられ、前記バッテリー収容室に収容される前記バッテリーの端子に係脱可能な充電装置側端子とを備え、従来のように上方からではなく水平方向からバッテリーをバッテリー収容室に装脱するようにしている。
ところで、バッテリーが放送機器用のように大容量である場合、バッテリーの端子と充電装置側端子との間に大きな電流が流れることから、バッテリーの端子と充電装置側端子の接触圧が高く、また、バッテリーの端子と充電装置側端子の数も、充電電流用の端子に加えて通信用の端子や識別用の端子を含むため多いものとなり、したがって、バッテリーの端子を充電装置側端子から外すには大きな力を要することが多い。
そのため、従来のように上方からではなく水平方向からバッテリーをバッテリー収容室に装脱する充電装置では、バッテリーを充電装置から取り外す際の操作が行いにくく、充電装置の操作性の向上が望まれる。
本発明はこのような事情に鑑みなされたもので、その目的は、バッテリーを取り外す際の操作性の向上を図る上で有利な充電装置を提供することにある。
【課題を解決するための手段】
【０００４】
上述の目的を達成するため、本発明は、バッテリーを充電する充電装置であって、前記充電装置は、前記バッテリーを収容するバッテリー収容室と、前記バッテリー収容室の奥行き方向の一端に形成され、前記バッテリーが前記バッテリー収容室に対して装脱される開口と、前記バッテリー収容室に設けられ、前記バッテリー収容室に収容される前記バッテリーのバッテリー側端子に係脱可能な充電装置側端子と、前記バッテリーが前記バッテリー収容室に収容され前記バッテリー側端子と前記充電装置側端子とが結合した状態で前記バッテリーの前記開口方向への移動を阻止すると共に前記バッテリー側端子と前記充電装置側端子との結合を解除して前記バッテリーの奥行き方向の他端を前記開口から突出させる装脱機構とを備え、前記装脱機構は、前記開口に設けられた押圧用操作部材と、前記バッテリー側端子と前記充電装置側端子とが結合した状態で前記バッテリーに係止して前記バッテリーの前記開口方向への移動を阻止し、かつ、前記押圧用操作部材の押圧操作により前記バッテリーとの係止を解除するロック機構と、前記押圧用操作部材の押圧操作に連動して移動し前記バッテリーに係合して前記バッテリーを前記開口方向に移動させ前記バッテリー側端子を前記充電装置側端子から外す解放部材と、前記バッテリーに弾接し前記バッテリー側端子が前記充電装置側端子から外れた状態で前記バッテリーを前記開口方向に移動させ前記開口から突出させる突出用スプリングとを備えることを特徴とする。
【発明の効果】
【０００５】
本発明の充電装置によれば、押圧用操作部材を操作することにより、バッテリーのロックを解除したのちに解放部材によってバッテリー側端子を充電装置側端子から強制的に外し、さらに、突出用スプリングの付勢力によってバッテリーを開口方向に押し出すようにしたので、バッテリーの端部を把持でき、バッテリーを取り外す際の操作性の向上を図る上で有利となる。
【発明を実施するための最良の形態】
【０００６】
（第１の実施の形態）
次に本発明の実施の形態について図面を参照して説明する。
まず、本発明の要部である装脱機構を説明する前に、本発明が適用される充電装置の構成から説明する。
図１（Ａ）、（Ｂ）は本実施の形態の充電装置１０にバッテリー２が装着された状態を示す斜視図である。
図２は充電装置１０の構成を示す斜視図、図３は充電装置１０における空気の流れを示す説明図である。
図４は充電装置１０の平面図である。
図５は図４のａａ線断面図でありバッテリー２の装着状態を示す図、図６は図４のａａ線断面図でありバッテリー側端子４と充電装置側端子１８とが外れた状態を示す図である。
図７はハウジング１４の分解斜視図、図８は第２の中間部材４０を背面から見た斜視図である。
【０００７】
図１（Ａ）、（Ｂ）、図５、図６に示すように、バッテリー２は、幅、高さよりも大きな寸法の奥行き（長さ）を有する断面が矩形の柱状に形成され、その奥行き方向の端部にバッテリー側端子４を有する。バッテリー２は放送機器用で、例えば、６０Ｗ乃至９０Ｗ程度の電力を出力する大容量を有し、大型であり、例えば、高さが６ｃｍ、幅が１０ｃｍ、奥行きが１７ｃｍ程度である。
充電装置１０は、複数のバッテリー２を充電するものであり、バッテリー２を収容するバッテリー収容室１２が複数設けられたハウジング１４を備えている。本実施の形態では、バッテリー収容室１２は４つ設けられ、図１（Ａ）では、４つのバッテリー収容室１２のうちの３つのバッテリー収容室１２にバッテリー２が収容され、図１（Ｂ）では、４つのバッテリー収容室１２の全てにバッテリー２が収容された状態を表している。
【０００８】
図２に示すように、各バッテリー収容室１２は、幅と高さと奥行きを有し、バッテリー収容室１２の幅と高さは、バッテリー２の幅、高さよりも大きな寸法で形成されている。
複数のバッテリー収容室１２は、それらの奥行きの方向（延在方向）が互いに平行して水平方向に延在するように並べられて設けられている。
図２、図５に示すように、バッテリー収容室１２の奥行き方向の一端に、バッテリー２がその奥行き方向（長さ方向）に沿ってバッテリー収容室１２に対して装脱される開口１６が形成されている。
図５、図６に示すように、バッテリー収容室１２の奥行き方向の他端に、バッテリー収容室１２に収容されるバッテリー２のバッテリー側端子４に係脱可能な充電装置側端子１８が設けられている。
本実施の形態では、バッテリー２がバッテリー収容室１２に収容されバッテリー側端子４と充電装置側端子１８とが結合した状態でバッテリー２の奥行き方向の他端は開口１６の近傍に位置するように構成されている。
【０００９】
図５に示すように、複数のバッテリー収容室１２は、それらバッテリー収容室１２の奥行き方向が水平方向に延在しかつ水平方向に並べられて設けられ、図２に示すように、複数の開口１６は、ハウジング１４を平面視した場合に直線上に並べられて設けられている。
図４に示すように、ハウジング１４は平面視長方形を呈し、複数の開口１６は、長方形の２つの長辺のうちの一方の長辺に沿って並べられて設けられている。
【００１０】
図１（Ａ）、図７に示すように、ハウジング１４は、互いに平行する上板２０および底板２２と、互いに平行する左右の側板２４と、それら上板２０、底板２２、左右の側板２４の後端を接続する背面板２６とを有している。
複数のバッテリー収容室１２は、左右の側板２４の間でかつ上板２０および底板２２の間に、水平方向に並べられて設けられている。
図５、図６に示すように、各バッテリー収容室１２は、上板２０の下方に位置して各バッテリー収容室１２の上方を仕切る上壁２８と、底板２２の上方に位置して各バッテリー収容室１２の下方を仕切る底壁３０と、上壁２８と底壁３０とにわたって設けられ隣り合うバッテリー収容室１２の側方を仕切る側壁３２（図２、図４、図７参照）と、背面板２６の前方に位置して各バッテリー収容室１２の奥部を仕切る奥部壁３４とにより仕切られている。
各開口１６は、上壁２８、底壁３０、側壁３２の前端で仕切られている。
【００１１】
本実施の形態では、ハウジング１４は、図７に示すように、下部材３６と、下部材３６の上に配置される第１の中間部材３８と、第１の中間部材３８の上に配置される第２の中間部材４０と、第２の中間部材４０の上に配置される上部材４２と、第１の中間部材３８と第２の中間部材４０とにわたって設けられる複数の隔壁板４４とを含んで構成されている。
下部材３６は、底板２２を構成する底板部３６Ａと、底板部３６Ａの前端から起立し複数の開口１６が設けられた前板部３６Ｂと、背面板２６を構成する後板部３６Ｃと、底板部３６Ａの左右両端から起立した左右の側板部３６Ｄとを有している。
背面板２６には、スリット状に設けられた空気取り入れ口４６と、円形の空気排出口４８とが形成されている。
【００１２】
図７に示すように、第１の中間部材３８は各バッテリー収容室１２の底壁３０を構成する板部３８Ａと、板部３８Ａの左右両端から下方に屈曲された側板部３８Ｂとを有している。
第１の中間部材３８は、左右の側板部３８Ｂが下部材３６の側板部３６Ｄの内側に重ね合わせて接合され、あるいは、左右の側板部３８Ｂが下部材３６の側板部３６Ｄの外側に重ね合わせて接合されている。
充電装置側端子１８は、各底壁３０の後端に設けられている。なお、充電装置側端子１８を奥部壁３４に設けるようにしてもよい。
第２の中間部材４０は、各バッテリー収容室１２の上壁２８を構成する板部４０Ａと、板部４０Ａの左右両端から下方に屈曲された側板部４０Ｂと、図８に示すように、板部４０Ａの後端と左右の側板部４０Ｂの後端とを連結し奥部壁３４を構成する後板部４０Ｃとを有している。
奥部壁３４の上部にはスリット状の連通部５０が設けられている。
第２の中間部材４０は、左右の側板部４０Ｂが第１の中間部材３８の側板部３８Ｂの外側に重ね合わせて接合され、あるいは、左右の側板部４０Ｂが下部材３６の側板部３６Ｂの内側に重ね合わせて接合され、あるいは、左右の側板部４０Ｂが、下部材３６の左右の側板部３６Ｂの外側に接合された第１の中間部材３８の側板部３８Ｂの外側に重ね合わせて接合されている。
【００１３】
図７に示すように、隔壁板４４は第１の中間部材３８の板部３８Ａと第２の中間部材４０の板部４０Ａとにわたって設けられ、隣り合うバッテリー収容室１２の側方を仕切る側壁３２を構成している。
上部材４２は第２の中間部材４０の板部４０Ａの上方に位置し上板２０を構成する板部４２Ａと、板部４２Ａの左右両側から下方に屈曲され左右の側板２４を構成する側板部４２Ｂとを備えている。
上部材４２は、左右の側板部４２Ｂが下部材３６の側板部３６Ｄの外側に重ね合わせて接合され、あるいは、左右の側板部４２Ｂが、下部材３６の左右の側板部３６Ｄの外側に接合された第２の中間部材４０の側板部４０Ｂの外側に重ね合わせて接合されている。
【００１４】
図２に示すように、上板２０と底板２２と奥部壁３４と背面板２６とで空間Ｓが区画されている。
この空間Ｓは連通部５０を介して各バッテリー収容室１２に連通している。
図５、図６に示すように、空間Ｓには、充電装置側端子１８に接続され充電回路を構成する電子部品５２が配置されている。本実施の形態では、底板２２上に配置されたプリント基板５４に電子部品５２が実装されることで前記充電回路が構成されている。前記充電回路は、電源コンセントに接続された不図示の電源ケーブルから供給される商用電源に基づいてバッテリー２に供給すべき充電電圧（充電電流）を生成する電源部と、前記充電電圧（充電電流）のバッテリー２への供給の制御を行なう充電制御部とを含んでいる。充電制御部は、例えば、各バッテリー収容室１２の開口１６の近傍に設けられた充電表示ランプを、充電動作中に点灯させ、充電完了時に滅灯させる。
【００１５】
図５に示すように、空気排出口４８にファン５６が設けられ、図３に矢印で示すように、ファン５６の駆動により外気が空気取り入れ口４６から空間Ｓに導入されると共に連通部５０を通ってバッテリー収容室１２内の空気が空間Ｓに導入され、空間Ｓに導入された外気と空気は電子部品５２を冷却したのち空気排出口４８から空間Ｓ外に排出されるように構成されている。
【００１６】
なお、図５、図６において符号５８は、バッテリー２がバッテリー収容室１２に収容されバッテリー側端子４と充電装置側端子１８とが結合した状態でバッテリー２の開口１６方向への移動を阻止すると共にバッテリー側端子４と充電装置側端子１８との結合を解除してバッテリー２の長さ方向の他端を開口１６から突出させる装脱機構を示し、符号６０は、開口１６に設けられた装脱機構５８の押圧用操作部材を示している。
装脱機構５８については後で詳述する。
【００１７】
次に充電装置１０の使用方法について説明する。
バッテリー２を充電する際には、充電しようとするバッテリー２を、その奥行き方向の一端であるバッテリー側端子４が設けられている端部を充電装置２の開口１６に臨ませて挿入し、バッテリー２をバッテリー収容室１２の奥に押し込み、バッテリー側端子４を充電装置側端子１８に結合する。
前記充電制御部は、充電装置側端子１８とバッテリー側端子４の結合を電気的に検出すると、充電表示ランプを点灯させてバッテリー２に対する充電電圧（充電電流）の供給を開始し、充電が終了すると（満充電になると）、バッテリー２に対する充電電圧（充電電流）の供給を停止し、充電表示ランプを滅灯させる。
充電表示ランプが滅灯されたならば、バッテリー２をバッテリー収容室１２から抜き出す。
【００１８】
充電装置１０がこのように構成されていると次のような利点がある。
複数のバッテリー収容室１２が、それらバッテリー収容室１２の奥行き方向を水平方向に向け互いに平行させて設けられ、バッテリー収容室１２の奥行き方向の一端に開口１６が形成されているので、狭いスペース内において多数のバッテリー２を整然と整列させて充電することができ、かつ、多数のバッテリー２の装脱作業の効率化を図る上で有利となる。
【００１９】
また、複数のバッテリー収容室１２が、それらバッテリー収容室１２の奥行き方向が水平方向に延在するように設けられ、複数の開口１６が、ハウジング１４を平面視した場合に直線上に並べられて設けられているので、図９に示すように、机の上や棚の上の載置面に１台目の充電装置１０を載置し、１台目の充電装置１０の上板２０の上に２台目の充電装置１０を、開口１６の向きを同一にして載置していくことで複数の充電装置１０を順次積み重ねて載置することができる。
このように複数の充電装置１０を積み重ねることによって載置面上における平面的なスペースを大きく占有することなく、多数のバッテリー２を充電することが可能となる。
したがって、特に、屋外や出張先において、ホテルの客室や中継車といった狭いスペースで放送機器用の大型な多数のバッテリーを充電する場合に有利となる。
【００２０】
また、図１０に示すように、放送局や中継車に設置される放送機器１００は、多くの場合、放送機器用に標準化された放送機器用標準ラックに収容保持されている。
この放送機器用標準ラックは、放送機器１００を収容する収容空間の幅方向の寸法が標準化され、例えば、１９インチに設定されているものであり、放送機器１００はそのような放送機器用標準ラックの１つである１９インチラック１０２に収容可能な幅で形成されている。
したがって、充電装置１０のハウジング１４の幅方向の寸法を１９インチラック１０２に収容できる幅寸法である１９インチとすることによって、充電装置１０を１９インチラック１０２に容易に収容することができ、また、１９インチラック１０２内に複数の充電装置１０を積み重ねて収容でき、放送機器用の大型な多数のバッテリー２を中継車などの狭いスペース内において整然と整列させて充電することができ、したがって、特に、中継車で移動し放送機器を屋外や出張先などで使用する場合に極めて有利となる。
【００２１】
また、ハウジング１４内にバッテリー収容室１２に隣接して空間Ｓを設け、この空間Ｓに充電回路を構成する電子部品５２を配置するようにした。
したがって、複数のバッテリー２を充電するための充電回路を空間Ｓに集中して配置することによりハウジング１４のコンパクト化、すなわち、充電装置１０のコンパクト化を図る上で有利となる。
さらに、複数のバッテリー２を充電するための充電回路を空間Ｓに集中して配置することにより、充電回路に電源を供給するための受電用コネクタや電源ケーブルを単一にでき、多数のバッテリー２を狭いスペース内において整然と整列させて充電する上で有利となる。
【００２２】
また、ハウジング１４内にバッテリー収容室１２に隣接して空間Ｓを設け、この空間Ｓに充電回路を構成する電子部品５２を配置し、この空間Ｓを空気取り入れ口４６、空気排出口４８、ファン５６を介して冷却するようにした。
したがって、充電回路を構成する電子部品５２は充電動作に伴い熱を生じるものの、電子部品５２は、空気取り入れ口４６から導入された外気および連通部５０から導入されたバッテリー収容室１２内の空気により冷却され、電子部品５２を保護する上で有利となる。
また、電子部品５２が配置された空間Ｓは上板２０と底板２２と奥部壁３４と背面板２６とで区画され、各バッテリー収容室１２から仕切られているため、電子部品５２から発生した熱がバッテリー収容室１２のバッテリー２に伝達することを抑制でき、バッテリー２を保護する上で有利となる。
さらに、充電動作時にバッテリー２に熱が生じるものの、バッテリー収容室１２には、開口１６から連通部５０に向かう空気の流れが形成されるため、バッテリー２を冷却することができ、バッテリー２を保護する上で有利となる。
【００２３】
次に本発明の要部である装脱機構５８について詳細に説明する。
図１１は装脱機構５８の概略構成を示す斜視図、図１２は図１１のＡ矢視図、図１３は装脱機構５８の分解斜視図、図１４（Ａ）は端子用ケース７８においてカバー８０が閉塞位置に位置した状態の斜視図、（Ｂ）は端子用ケース７８からカバー８０が取り外され充電装置側端子１８が露出された状態を示す図である。
【００２４】
図１１に示すように、装脱機構５８は各バッテリー収容室１２に対応して複数設けられている。
装脱機構５８は、バッテリー２がバッテリー収容室１２に収容されバッテリー側端子４（図５、図６参照）と充電装置側端子１８（図１４（Ｂ）参照）とが結合した状態でバッテリー２の開口１６方向への移動を阻止すると共にバッテリー側端子４と充電装置側端子１８との結合を解除してバッテリー２の奥行き方向の他端を開口１６から突出させるものである。
図１３に示すように、装脱機構５８は、押圧用操作部材６０（図１１参照）と、ロック機構６２と、解放部材６４と、突出用スプリング６６（図１４（Ｂ）参照）などを含んで構成されている。
【００２５】
図１１に示すように、押圧用操作部材６０は開口１６に設けられており、本実施の形態では、図５、図６に示すように、開口１６の下方で底板２２と底壁３０との間の空間に前後方向に移動可能に配置され、ハウジング１４の前方に臨んでいる。
なお、本実施の形態では、バッテリー収容室１２の奥行き方向で開口１６が位置する方向を前方とし、充電装置側端子１８が位置する方向を後方として説明し、バッテリー収容室１２の奥行き方向を前後方向として説明する。
【００２６】
ロック機構６２は、バッテリー側端子４と充電装置側端子１８とが結合した状態でバッテリー２に係止してバッテリー２の開口１６方向への移動を阻止し、かつ、押圧用操作部材６０の押圧操作によりバッテリー２との係止を解除するものである。
図１３に示すように、ロック機構６２は、スライド部材７２と、ロック爪７４と、カム部７６などを含んで構成されている。
スライド部材７２は、バッテリー収容室１２の奥行き方向に沿って延在し押圧用操作部材６０の押圧操作によりバッテリー収容室１２の奥行き方向にスライドするものである。
スライド部材７２は、本実施の形態では、図１３に示すように、底壁３０が底板２２に臨む面にベース板６８を介して配置された本体７２０２と、本体７２０２の前端から下方に屈曲された屈曲片７２０４とを備えている。なお、ベース板６８は底壁３０に取着されている。
本体７２０２には、図１２に示すように、本体７２０２の延在方向、すなわち前後方向に沿って複数の長孔７２０６が形成され、それら長孔７２０６に底壁３０に突設されたピン３００２が係合し、これによりスライド部材７２は前後方向に移動可能に支持されている。
本体７２０２と底壁３０との間にはスプリング７３が張設され、スライド部材７２は、スプリング７３によって開口１６方向に向けて常時付勢され、ピン３００２が長孔７２０６の端部に当接することでスライド部材７２の前方への限界位置が決定されている。
図１１に示すように、屈曲片７２０４には押圧用操作部材６０が取着され、したがって、押圧用操作部材６０を押圧操作すると、スライド部材７２は後方にスライドする。
【００２７】
図１１、図１３に示すように、ロック爪７４は、底壁３０に上方に膨出形成された収容部３０１０に、スライド部材７２のスライド方向と交差する方向に移動可能に支持され、ロック爪７４は、図１２に示すように、スプリング７４０２によりバッテリー２に設けられた不図示のバッテリー側係止部に係止する方向に付勢されている。なお、このスプリング７４０２は図１２で示す引っ張りばねでもよいが、配置箇所を逆にすると圧縮ばねとなる。
収容部３０１０は下方に開放状に設けられ、したがって、ロック爪７４は、その上面と左右の側面が収容部３０１０の壁面で支持されると共に、その下面が収容部３０１０の下方に位置するスライド部材７２の部分で支持されている。
また、図１１に示すように、ロック爪７４が移動する方向における収容部３０１０の端部に開口３０１２が設けられ、ロック爪７４はこの開口３０１２からその先端が出没する。
図１３に示すように、カム部７６は、押圧用操作部材６０の押圧操作によるスライド部材７２の移動時にロック爪７４と係合してロック爪７４を前記バッテリー側係止部から外す方向に移動させるものである。本実施の形態では、カム部７６は、スライド部材７２の本体７２０２に設けられた開口の縁７２１０で形成されている。
【００２８】
図１２、図１３に示すように、解放部材６４は、押圧用操作部材６０の押圧操作に連動して移動しバッテリー２の奥行き方向の一端に係合してバッテリー２を開口１６方向に移動させバッテリー側端子４を充電装置側端子１８から強制的に外すものである。
解放部材６４は、本実施の形態では、底壁３０に揺動可能に支持された解放レバー６４Ａで構成されている。
解放レバー６４Ａは、スライド部材７２に連結されて押圧用操作部材６０の押圧操作によるスライド部材７２の移動時に揺動し、ロック爪７４が前記バッテリー側係止部から外れたのちバッテリー２の奥行き方向の一端に当接し、バッテリー２を開口１６方向に移動させバッテリー側端子４を充電装置側端子１８から外すように構成されている。
本実施の形態では、解放レバー６４Ａとスライド部材７２との連結は、解放レバー６４Ａに設けられた長溝６４０２に、スライド部材７２に設けられたピン７２２０が係合することでなされている。
【００２９】
突出用スプリング６６は、バッテリー２の奥行き方向の一端に弾接しバッテリー側端子４が充電装置側端子１８から外れた状態でバッテリー２を開口１６方向に移動させバッテリー２の奥行き方向の他端を開口１６から突出させるものである。
本実施の形態では、図１４（Ａ）に示すように、バッテリー収容室１２の奥行き方向の他端に端子用ケース７８が設けられている。
図１４（Ｂ）に示すように、端子用ケース７８は、開口１６方向に開放状に設けられ、充電装置側端子１８は端子用ケース７８内でバッテリー収容室１２の奥行き方向に延在し水平方向に並べられて複数設けられている。
本実施の形態では、充電装置側端子１８は５つ設けられており、５つの充電装置側端子１８のうち、２つの充電装置側端子１８はバッテリー２に充電電流を供給する正極端子と負極端子を構成し、２つの充電装置側端子１８はバッテリー２に組み込まれた通信部との間で前記充電制御回路がデータ通信を行うための通信用端子を構成し、残り１つの電装置側端子１８はバッテリー２の種別を前記充電制御回路によって識別するための識別用端子を構成している。
図１４（Ａ）、（Ｂ）に示すように、端子用ケース７８に、複数の充電装置側端子１８の前方および上方を覆う閉塞位置と、この閉塞位置からバッテリー収容室の奥行き方向に沿った方向で開口１６から離れる方向に位置し複数の充電装置側端子１８を露出させる開放位置との間で移動可能なカバー８０が設けられている。
カバー８０が複数の充電装置側端子１８の前方に臨む面に（カバー８０が前記閉塞位置に位置した状態でバッテリー収容室１２の奥行き方向においてカバー８０が複数の充電装置側端子１８に臨む箇所に）、カバー８０の閉塞位置から開放位置への移動時に各充電装置側端子１８が通過する孔８００２がそれぞれ形成されている。
そして、カバー８０を閉塞位置に付勢する２つのカバー用スプリング８２が端子用ケース７８に設けられている。
本実施の形態では、突出用スプリング６６は、それらカバー用スプリング８２で構成されている。
【００３０】
次に装脱機構５８の作用について説明する。
バッテリー２を装着する際には、バッテリー２を、その奥行き方向の一端であるバッテリー側端子４が設けられている端部を充電装置２の開口１６から挿入し、バッテリー収容室１２の奥に押し込む。
すると、まず、バッテリー２の奥行き方向の一端がカバー８０に当接し突出用スプリング６６の付勢力に抗してカバー８０を後方に変位させる。
バッテリー２のさらなる移動により、バッテリー側端子４に充電装置側端子１８が挿入され、やがて、完全に結合される。これにより、突出用スプリング６６は蓄勢された状態となり、カバー８０は閉塞位置となる。
一方、バッテリー２の挿入に伴い、ロック爪７４はバッテリー２の部分に当接していったん没入した後、バッテリー側端子４と充電装置側端子１８とが完全に結合すると、ロック爪７４が突出してバッテリー側係止部に係止し、これにより、バッテリー２がロックされ、バッテリー２の開口１６方向への移動が阻止される。
なお、このバッテリー２の装着時には、押圧用操作部材６０、スライド部材７２、解放レバー６４Ａは動かない。
【００３１】
バッテリー２を取り外す際には、押圧用操作部材６０をスプリング７３の付勢力に抗してバッテリー収容室１２の奥に押し込む。
すると、スライド部材７２が押圧用操作部材６０に連動して後方に移動し、カム部７６によりロック爪７４が開口３０１２から没入し、ロック爪７４と前記バッテリー側係止部との係止が外れ、バッテリー２のロックが解除される。
一方、スライド部材７２が押圧用操作部材６０に連動して後方に移動し始めると同時に解放レバー６４は揺動する。そして、ロック爪７４と前記バッテリー側係止部との係止が外れたのち、解放レバー６４Ａはバッテリー２の奥行き方向の一端に当接し、バッテリー２を開口１６方向に移動させ、押圧用操作部材６０を押圧操作する力によりバッテリー側端子４を充電装置側端子１８から強制的に外す。
また一方、蓄勢されていた突出用スプリング６６の付勢力によってカバー８０がバッテリー２の端面に当接しているが、この突出用スプリング６６の付勢力ではバッテリー側端子４を充電装置側端子１８から外すことはできない。しかしながら、バッテリー側端子４が充電装置側端子１８から外れると、突出用スプリング６６の付勢力によってカバー８０がバッテリー２の端面を開口１６方向に押すことによりバッテリー２が開口１６方向に押し出される。
これにより、バッテリー２は、バッテリー側端子４が設けられている端部と反対側の端部が開口１６から突出されるので、開口１６から突出されたバッテリー２の端部を把持できる。したがって、この突出された端部を把持してバッテリー２をバッテリー収容室１２から抜き出す。
【００３２】
本実施の形態によれば、押圧用操作部材６０を操作することにより、バッテリー２のロックを解除したのちに解放レバー６４Ａによってバッテリー側端子４を充電装置側端子１８から強制的に外し、さらに、突出用スプリング６６の付勢力によってバッテリー２を開口１６方向に押し出すようにしたので、バッテリー２の端部を把持でき、バッテリー２を取り外す際の操作性の向上を図る上で有利となる。
特に、バッテリー２が実施の形態のように放送機器に装脱される大容量の放送機器用のバッテリー２である場合、バッテリー側端子４と充電装置側端子１８との間に大きな電流が流れることから、バッテリー側端子４と充電装置側端子１８の接触圧が高く、また、バッテリー側端子４と充電装置側端子１８の数も５つといったように多い。したがって、バッテリー側端子４を充電装置側端子１８から外すには大きな力を要する。ここで、実施の形態のように解放レバー６４Ａを用いずに突出用スプリング６６のみにより、バッテリー側端子４を充電装置側端子１８から外し、かつ、バッテリー２の端部を突出させるようにすると、突出用スプリング６６には大きな付勢力が要求され、線径や巻き径が大きなものとなり、充電装置１０の小型化を図る上で不利となる。
これに対して、本実施の形態では、押圧用操作部材６０の押圧力を利用し解放レバー６４Ａを介してバッテリー側端子４を充電装置側端子１８からまず強制的に外し、外したのちに突出用スプリング６６の付勢力によりバッテリー２の端部を突出させるようにしたので、突出用スプリング６６はその線径や巻き径が小さなもので足り、充電装置１０の小型化を図る上で有利となる。
【００３３】
なお、本実施の形態では、ロック機構６２を、スライド部材７２とロック爪７４とカム部７６などを含んで構成した場合について説明したが、ロック機構６２は、バッテリー側端子４と充電装置側端子１８とが結合した状態でバッテリー２に係止してバッテリー２の開口１６方向への移動を阻止し、かつ、押圧用操作部材６０の押圧操作によりバッテリー２との係止を解除するものであればよく、実施の形態の構造に限定されず、従来公知の様々な構造のものが採用可能である。ただし、実施の形態のように構成すると、ロック機構６２の部品点数の削減化、コンパクト化などを図る上で有利となる。
また、本実施の形態では、押圧用操作部材６０をバッテリー収容室１２の奥行き方向である後方に押圧操作する場合について説明したが、例えば、押圧用操作部材６０とスライド部材７２との間にリンク機構などを設けることで、押圧用操作部材６０を左右方向に押圧操作するようにしてもよい。
また、本実施の形態では、解放部材６４を解放レバー６４Ａで構成した場合について説明したが、例えば、スライド部材７２にリンク機構などを介してロッドを連結し、スライド部材７２の前方への移動によりロッドを後方に直線移動させ、このロッドによりバッテリー２を後方に移動させることでバッテリー側端子４を充電装置側端子１８から強制的に外すようにしてもよい。
また、本実施の形態では、バッテリー２が、その幅、高さよりも大きな寸法の奥行きを有する断面が矩形の柱状に形成されていた場合について説明したが、バッテリー２の形状は任意であり、バッテリー２の形状に対応してバッテリー収容室１２の形状が決まり、本発明は、幅、高さよりも小さな寸法の奥行きを有するバッテリー２を収容する場合にも無論適用される。
【図面の簡単な説明】
【００３４】
【図１】（Ａ）、（Ｂ）は本実施の形態の充電装置１０にバッテリー２が装着された状態を示す斜視図である。
【図２】充電装置１０の構成を示す斜視図である。
【図３】充電装置１０における空気の流れを示す説明図である。
【図４】充電装置１０の平面図である。
【図５】図４のａａ線断面図でありバッテリー２の装着状態を示す図である。
【図６】図４のａａ線断面図でありバッテリー側端子４と充電装置側端子１８とが外れた状態を示す図である。
【図７】ハウジング１４の分解斜視図である。
【図８】第２の中間部材４０を背面から見た斜視図である。
【図９】複数台の充電装置１０を積み重ねた状態を示す斜視図である。
【図１０】充電装置１０が放送機器用標準ラック１０２に収容保持された状態を示す説明図である。
【図１１】装脱機構５８の概略構成を示す斜視図である。
【図１２】図１１のＡ矢視図である。
【図１３】装脱機構５８の分解斜視図である。
【図１４】（Ａ）は端子用ケース７８においてカバー８０が閉塞位置に位置した状態の斜視図、（Ｂ）は端子用ケース７８からカバー８０が取り外され充電装置側端子１８が露出された状態を示す図である。
【符号の説明】
【００３５】
２……バッテリー、４……バッテリー側端子、１０……充電装置、１２……バッテリー収容室、１４……ハウジング、１６……開口、１８……充電装置側端子、５８……装脱機構、６０……押圧用操作部材、６２……ロック機構、６４……解放部材、６６……突出用スプリング。
【図１】
2007288969.tif 000003
【図２】
2007288969.tif 000004
【図３】
2007288969.tif 000005
【図４】
2007288969.tif 000006
【図５】
2007288969.tif 000007
【図６】
2007288969.tif 000008
【図７】
2007288969.tif 000009
【図８】
2007288969.tif 000010
【図９】
2007288969.tif 000011
【図１０】
2007288969.tif 000012
【図１１】
2007288969.tif 000013
【図１２】
2007288969.tif 000014
【図１３】
2007288969.tif 000015
【図１４】
2007288969.tif 000016
【手続補正書】
【提出日】平成19年4月26日(2007.4.26)
【手続補正１】
【補正対象書類名】明細書
【補正対象項目名】００１２
【補正方法】変更
【補正の内容】
【００１２】
図７に示すように、第１の中間部材３８は各バッテリー収容室１２の底壁３０を構成する板部３８Ａと、板部３８Ａの左右両端から下方に屈曲された側板部３８Ｂとを有している。
第１の中間部材３８は、左右の側板部３８Ｂが下部材３６の側板部３６Ｄの内側に重ね合わせて接合され、あるいは、左右の側板部３８Ｂが下部材３６の側板部３６Ｄの外側に重ね合わせて接合されている。
充電装置側端子１８は、各底壁３０の後端に設けられている。なお、充電装置側端子１８を奥部壁３４に設けるようにしてもよい。
第２の中間部材４０は、各バッテリー収容室１２の上壁２８を構成する板部４０Ａと、板部４０Ａの左右両端から下方に屈曲された側板部４０Ｂと、図８に示すように、板部４０Ａの後端と左右の側板部４０Ｂの後端とを連結し奥部壁３４を構成する後板部４０Ｃとを有している。
奥部壁３４の上部にはスリット状の連通部５０が設けられている。
第２の中間部材４０は、左右の側板部４０Ｂが第１の中間部材３８の側板部３８Ｂの外側に重ね合わせて接合され、あるいは、左右の側板部４０Ｂが下部材３６の側板部３６Ｄの内側に重ね合わせて接合され、あるいは、左右の側板部４０Ｂが、下部材３６の左右の側板部３６Ｄの外側に接合された第１の中間部材３８の側板部３８Ｂの外側に重ね合わせて接合されている。
【手続補正２】
【補正対象書類名】明細書
【補正対象項目名】００１７
【補正方法】変更
【補正の内容】
【００１７】
次に充電装置１０の使用方法について説明する。
バッテリー２を充電する際には、充電しようとするバッテリー２を、その奥行き方向の一端であるバッテリー側端子４が設けられている端部を充電装置１０の開口１６に臨ませて挿入し、バッテリー２をバッテリー収容室１２の奥に押し込み、バッテリー側端子４を充電装置側端子１８に結合する。
前記充電制御部は、充電装置側端子１８とバッテリー側端子４の結合を電気的に検出すると、充電表示ランプを点灯させてバッテリー２に対する充電電圧（充電電流）の供給を開始し、充電が終了すると（満充電になると）、バッテリー２に対する充電電圧（充電電流）の供給を停止し、充電表示ランプを滅灯させる。
充電表示ランプが滅灯されたならば、バッテリー２をバッテリー収容室１２から抜き出す。
【手続補正３】
【補正対象書類名】明細書
【補正対象項目名】００３０
【補正方法】変更
【補正の内容】
【００３０】
次に装脱機構５８の作用について説明する。
バッテリー２を装着する際には、バッテリー２を、その奥行き方向の一端であるバッテリー側端子４が設けられている端部を充電装置１０の開口１６から挿入し、バッテリー収容室１２の奥に押し込む。
すると、まず、バッテリー２の奥行き方向の一端がカバー８０に当接し突出用スプリング６６の付勢力に抗してカバー８０を後方に変位させる。
バッテリー２のさらなる移動により、バッテリー側端子４に充電装置側端子１８が挿入され、やがて、完全に結合される。これにより、突出用スプリング６６は蓄勢された状態となり、カバー８０は閉塞位置となる。
一方、バッテリー２の挿入に伴い、ロック爪７４はバッテリー２の部分に当接していったん没入した後、バッテリー側端子４と充電装置側端子１８とが完全に結合すると、ロック爪７４が突出してバッテリー側係止部に係止し、これにより、バッテリー２がロックされ、バッテリー２の開口１６方向への移動が阻止される。
なお、このバッテリー２の装着時には、押圧用操作部材６０、スライド部材７２、解放レバー６４Ａは動かない。